(57)【要約】      （修正有）【課題】簡素な構成により、複数のカップにコーヒーを簡便に分配することが可能なコーヒードリッパーを提供する。【解決手段】コーヒードリッパー１０は、フィルターが装着される漏斗部１１と、漏斗部１１の下端に設けられカップに載せられる台座部１３と、漏斗部１１の底１１ｂに形成された孔１１ｃと、孔１１ｃから下方に流れ出たコーヒー抽出液を振り分ける２つの流路部１４ａと、を備える。２つの流路部１４ａは、台座部１３の下端よりも下方に突出し、且つ、下方に突出した部分の上端が、隣接して配置された２つのカップの上端を挟み得るように設定された距離Ｄ１だけ離れている。【選択図】図２
2019093012.tif 000002
【特許請求の範囲】
【請求項１】
フィルターが装着される漏斗部と、
前記漏斗部の下端に設けられカップに載せられる台座部と、
前記漏斗部の底に形成された孔と、
前記孔から下方に流れ出たコーヒー抽出液を振り分ける複数の流路部と、を備え、
前記複数の流路部は、前記台座部の下端よりも下方に突出し、且つ、下方に突出した部分の上端が、隣接して配置された複数の前記カップの上端を挟み得るように設定された所定の距離だけ離れている、
ことを特徴とするコーヒードリッパー。
【請求項２】
前記複数の流路部は、先端に向かうにつれて互いに離れるように傾斜している、
請求項１に記載のコーヒードリッパー。
【請求項３】
前記所定の距離は、２ｃｍ以上３ｃｍ以下である、
請求項１または２に記載のコーヒードリッパー。
【請求項４】
前記台座部の下端に対する前記流路部の下方の突出量は、１ｃｍ以下である、
請求項１ないし３の何れか一項に記載のコーヒードリッパー。
【請求項５】
前記流路部の数が２つであり、
前記漏斗部の底が、前記２つの流路部が並ぶ方向に長い形状となっている、
請求項１ないし４の何れか一項に記載のコーヒードリッパー。
【発明の詳細な説明】
【技術分野】
【０００１】
本発明は、コーヒー豆を碾いた粉からコーヒー液を抽出するためのコーヒードリッパーに関する。
【背景技術】
【０００２】
従来、種々のコーヒードリッパーが商品化され販売されている。また、新たな構造のコーヒードリッパーが、製造業者等により開発され提案されている。
【０００３】
たとえば、特許文献１には、逆円錐台形状の側壁の内側に円錐体が設けられ、さらにリング状の底板に複数の貫通孔が設けられたコーヒードリッパーが記載されている。この構成により、雑味がなく美味なコーヒー飲料を提供できるとの説明がなされている。
【０００４】
また、特許文献２には、ドリッパー本体の内周部全面に複数の四角錐が形成されたコーヒードリッパーが記載されている。この構成により、抽出されたコーヒーが濾紙を通過するまでの抽出時間のバラツキが抑制され、コーヒーが雑味や渋みを含むことを防止できるとの説明がなされている。
【先行技術文献】
【特許文献】
【０００５】
【特許文献１】特開２０１５−０４７２０９号公報
【特許文献２】特開２０１４−１０４１５５号公報
【発明の概要】
【発明が解決しようとする課題】
【０００６】
コーヒードリッパーでコーヒーを作る場合、必ずしも１人分のコーヒーを作るとは限らず、たとえば、夫婦でコーヒーを楽しむ場合や、来客の際には、複数人数分のコーヒーを作ることが想定され得る。
【０００７】
このような場合、従来のコーヒードリッパーでは、一旦、大きな容器にコーヒードリッパーで必要人数分のコーヒーを抽出し、抽出したコーヒーを、この容器から複数のカップに分配する作業が必要であった。また、この場合、コーヒーの分配後に大きな容器を洗浄する作業が必要となる。このような作業は、ユーザにとって、手間が掛かるものであった。さらに、大きな容器から各カップにコーヒーを分配する際に、コーヒーが冷めるとの問題もあった。
【０００８】
また、大きな容器を用いない方法として、コーヒーを抽出しつつ、随時、コーヒードリッパーを各カップに移動させて、必要人数分のカップにコーヒーを分配する方法が用いられ得る。しかし、この方法では、コーヒー抽出時に、コーヒードリッパーをカップ間で移動させるといった煩雑な作業が必要となり、また、コーヒードリッパーをカップ間で移動させる間に、コーヒードリッパーから流れ出るコーヒーがカップの外に垂れ落ちるといったことも起こり得る。カップの外に垂れ落ちたコーヒーは、無駄なものとなってしまい、また、このコーヒーを拭き取るといった面倒な作業もさらに必要となってしまう。
【０００９】
そこで、本発明は、簡素な構成により、複数のカップにコーヒーを簡便に分配することが可能なコーヒードリッパーを提供することを目的とする。
【課題を解決するための手段】
【００１０】
本発明の主たる態様に係るコーヒードリッパーは、フィルターが装着される漏斗部と、前記漏斗部の下端に設けられカップに載せられる台座部と、前記漏斗部の底に形成された孔と、前記孔から下方に流れ出たコーヒー抽出液を振り分ける複数の流路部と、を備える。ここで、前記複数の流路部は、前記台座部の下端よりも下方に突出し、且つ、下方に突出した部分の上端が、隣接して配置された複数の前記カップの上端を挟み得るように設定された所定の距離だけ離れている。
【００１１】
本態様に係るコーヒードリッパーによれば、隣接して並べた複数のカップに台座部を載せることにより、複数の流路部がそれぞれ各カップの内側に位置づけられる。ここで、各流路部は、台座部の下端より下方に突出し、且つ、隣り合うカップの上端を挟むように設けられているため、コーヒードリッパーは、各流路部の端部がそれぞれカップの内側に入り込む位置に正しく位置決めされる。これにより、コーヒードリッパーを複数のカップに略均等に載せることができ、安定的にコーヒードリッパーを複数のカップにセットできる。そして、この状態で、漏斗部に装着されたフィルターおよびコーヒー豆の粉に湯を注ぐことにより、各流路部から対応するカップにコーヒー抽出液を分配することができる。なお、本態様に係るコーヒードリッパーは、並べたカップの高さが多少ずれていても、並べたカップの上端を複数の流路部で挟みつつ、台座部をこれらカップ間に架けて、良好に用いることができる。
【００１２】
このように、本態様に係るコーヒードリッパーによれば、簡素な構成により、複数のカップにコーヒーを簡便に分配することができる。
【００１３】
なお、上記において、「複数の前記カップの上端を挟み得る」とは、複数の流路部の突出部分が、隣り合うカップの上端を略隙間なく挟む形態の他、所定の隙間を持って挟む形態をも含むものである。また、「所定の距離」とは、既存のカップにおいて想定され得るカップの縁の厚みの最大値の２倍程度以上に設定され得る。こうすると、どのような種類のカップに対しても、本形態のコーヒードリッパーを用いることができる。
【００１４】
本態様に係るコーヒードリッパーにおいて、前記複数の流路部は、先端に向かうにつれて互いに離れるように傾斜していることが好ましい。この構成によれば、台座部を複数のカップに載せる際に、流路部の側面がカップの縁に当たると、傾斜した流路部に案内されて、流路部がカップの内部に収まるようにコーヒードリッパーが移動する。よって、ユーザは、台座部を複数のカップに載せるだけで簡便に、コーヒードリッパーを複数のカップに略均等に載せることができる。
【００１５】
なお、本態様に係るコーヒードリッパーにおいて、上述の所定の距離は、２ｃｍ以上３ｃｍ以下であることが好ましい。上述の所定の距離が２ｃｍ以上であることにより、コーヒーカップの種類に拘わらず、複数の流路部をそれぞれ複数のカップの内部に収めることができ、且つ、上述の所定の距離が３ｃｍ以下であることにより、１つのカップにコーヒードリッパーを載せる場合も、複数の流路部を１つのカップからはみ出さずに、カップの内部に収めることができる。
【００１６】
また、本態様に係るコーヒードリッパーにおいて、前記台座部の下端に対する前記流路部の下方の突出量は、１ｃｍ以下であることが好ましい。こうすると、不使用時に、流路部が下になるようにコーヒードリッパーが置かれたとしても、流路部に破損が生じにくく、また、コーヒードリッパーを移動させる際に、流路部が何かに引っ掛かって破損することを防ぐことができる。なお、この突出量は、より好ましくは、３ｍｍ以上５ｍｍ以下に設定するとよい。
【００１７】
本態様に係るコーヒードリッパーにおいて、前記流路部の数は、たとえば、２つである。この構成によれば、たとえば、毎朝、夫婦でコーヒーを楽しむような場面において、本態様に係るコーヒードリッパーを有効に利用することができる。この場合、漏斗部の底は、前記２つの流路部が並ぶ方向に長い形状であると良い。こうすると、漏斗部の底に、各流路部に適切にコーヒーを分配可能に、孔を形成し易くなる。また、このように、漏斗部の底が長い形状であると、フィルターの底を漏斗部の底に収め易くなる。
【発明の効果】
【００１８】
以上のとおり、本発明によれば、簡素な構成により、複数のカップにコーヒーを簡便に分配することが可能なコーヒードリッパーを提供することができる。
【図面の簡単な説明】
【００１９】
【図１】図１は、実施形態に係る、コーヒードリッパーの構成および使用形態を示す外観斜視図である。
【図２】図２（ａ）、（ｂ）は、それぞれ、実施形態に係る、コーヒードリッパーの構成を示す断面図および上面図である。
【図３】図３（ａ）、（ｂ）は、それぞれ、実施形態に係る、コーヒードリッパーの構成を示す断面図および下面図である。
【図４】図４（ａ）、（ｂ）は、それぞれ、実施形態に係る、コーヒードリッパーを２つのカップおよび１つのカップに載せた状態を示す斜視図である。
【図５】図５（ａ）、（ｂ）は、それぞれ、実施形態に係る、コーヒードリッパーを２つのカップに載せた状態を示す断面図および上面図である。
【図６】図６（ａ）、（ｂ）は、それぞれ、実施形態に係る、コーヒードリッパーを１つのカップに載せた状態を示す断面図および上面図である。
【図７】図７（ａ）は、変更例に係る、コーヒードリッパーの断面図、図７（ｂ）は、変更例に係るコーヒードリッパーを３つのカップに載せた状態を示す上面図である。
【発明を実施するための形態】
【００２０】
以下、本発明の実施形態について、図面を参照して説明する。なお、図面には、適宜、互いに直交するＸ、Ｙ、Ｚ軸が付されている。Ｚ軸正方向は、上方向であり、Ｘ軸方向およびＹ軸方向は、それぞれ、コーヒードリッパーの台座部の長手方向および短手方向である。
【００２１】
図１は、コーヒードリッパー１０の構成および使用形態を示す外観斜視図である。
【００２２】
コーヒードリッパー１０は、漏斗部１１と、持ち手１２と、台座部１３とを備える。漏斗部１１、持ち手１２および台座部１３は、樹脂等の所定の材料によって一体形成されている。
【００２３】
漏斗部１１は、略逆円錐の形状を有し、上部に開口１１ａが設けられている。漏斗部１１には、コーヒーを抽出するためのフィルター（たとえば、紙フィルター）が装着される。持ち手１２は、指を掛けてコーヒードリッパー１０を把持するためのものである。台座部１３は、平面視において、長方形の角が丸められた形状を有する。台座部１３は、漏斗部１１の下端に設けられている。台座部１３の長手方向は、Ｘ軸に平行である。
【００２４】
本実施形態に係るコーヒードリッパー１０は、漏斗部１１で抽出されたコーヒーを２つのカップ２０に同時に分配することができる。この場合、台座部１３が、２つのカップ２０を跨ぐようにして、これらカップ２０に載せられる。カップ２０は、従来周知の構造を有する既存のカップである。カップ２０は、コーヒーを収容するための容器２１と、指を引っかけて把持するための持ち手２２を有する。カップ２０は、上面に、円形の開口２１ａを有する。
【００２５】
図２（ａ）、（ｂ）は、それぞれ、コーヒードリッパー１０の構成を示す断面図および上面図である。図３（ａ）、（ｂ）は、それぞれ、コーヒードリッパー１０の構成を示す断面図および下面図である。便宜上、図２（ａ）および図３（ａ）には、同じ断面図が示されている。
【００２６】
図２（ａ）、（ｂ）に示すように、漏斗部１１の底１１ｂは、Ｘ軸方向に長い略長方形の形状となっている。底１１ｂは、平面視において、漏斗部１１のＸ軸方向およびＹ軸方向の中央位置に配置されている。底１１ｂには、Ｙ軸方向の中央位置においてＸ軸に並ぶように、同じ大きさの２つの孔１１ｃが形成されている。２つの孔１１ｃは、底１１ｂのＸ軸方向の中心から同じ距離だけＸ軸正負方向にずれた位置に配置されている。
【００２７】
図３（ａ）、（ｂ）に示すように、台座部１３は、下面が開放された枠形状となっている。台座部１３には、下方から部材１４が嵌め込まれて、部材１４が装着されている。部材１４は、圧入または接着等により台座部１３に装着される。部材１４は、樹脂等の材料によって構成されている。
【００２８】
部材１４には、台座部１３の長手方向、すなわちＸ軸方向に並ぶように、一対の流路部１４ａが一体形成されている。部材１４は、Ｘ軸方向に対称な形状を有し、且つ、Ｙ軸方向にも対称な形状を有する。２つの流路部１４ａの上端（根元）は、それぞれ、２つの孔１１ｃに向き合っている。また、２つの流路部１４ａの上端の境界は、２つの孔１１ｃのＸ軸方向の中間位置にある。したがって、２つの孔１１ｃを通過したコーヒーは、それぞれ、対応する流路部１４ａに流れ込む。よって、漏斗部１１で濾過され抽出されたコーヒーは、２つの流路部１４ａに略均等に分配される。
【００２９】
２つの流路部１４ａは、先端に向かうにつれて互いに離れるように傾斜している。Ｚ軸に対する各流路部１４ａの傾斜角は同じである。すなわち、各流路部１４ａは、互いに異なる方向に、同じ傾斜角で傾斜している。
【００３０】
２つの流路部１４ａは、台座部１３の下端よりも下方に突出し、且つ、下方に突出した部分の上端が所定の距離Ｄ１だけ離れている。ここで、距離Ｄ１は、図１のように隣接して配置された２つのカップ２０の上端を挟み得るように設定される。
【００３１】
ここで、「２つのカップ２０の上端を挟み得る」とは、２つの流路部１４ａの突出部分が、隣り合うカップ２０の上端を略隙間なく挟む形態の他、これらの突出部分が、隣り合うカップ２０の上端を所定の隙間を持って挟む形態をも含み得るものである。
【００３２】
なお、距離Ｄ１は、図１に示したカップ２０に限らず、既存の種々のカップについても、２つのカップが隣接して配置された場合に、２つの流路部１４ａの突出部分で２つのカップの上端を挟み得るように設定され得る。すなわち、距離Ｄ１は、既存の種々のカップにおいて想定され得るカップの縁の厚みの最大値の２倍程度以上に設定されるとよい。たとえば、距離Ｄ１は、２ｃｍ以上３ｃｍ以下程度に設定されるとよい。距離Ｄ１を３ｃｍ以下に設定することにより、後述のように、コーヒードリッパー１０を１つのカップに載せる場合も、２つの流路部１４ａをカップからはみ出さずにカップ内に収めることができる。
【００３３】
また、台座部１３の下端に対する２つの流路部１４ａの下方への突出量Ｄ２は、１ｃｍ以下であることが好ましい。こうすると、コーヒードリッパー１０の不使用時に、流路部１４ａが下になるようにコーヒードリッパー１０が置かれたとしても、流路部１４ａに破損が生じにくく、また、コーヒードリッパー１０を移動させる際に、流路部１４ａが何かに引っ掛かって破損することを防ぐことができる。なお、この突出量Ｄ２は、より好ましくは、３ｍｍ以上５ｍｍ以下に設定するとよい。
【００３４】
なお、台座部１３の長手方向の幅Ｗ１および端手方向の幅Ｗ２は、図１に示すように２つのカップ２０に台座部１３を載せる場合に、台座部１３が２つのカップ２０によって安定的に支持され、且つ、収納に邪魔になりにくい寸法に設定される。この場合も、図１に示したカップ２０に限らず、既存の種々のカップについて、台座部１３が２つのカップ２０によって安定的に支持される寸法に、幅Ｗ１および幅Ｗ２が設定されるとよい。たとえば、幅Ｗ１は、１０〜１５ｃｍ程度に設定され、幅Ｗ２は、５〜１０ｃｍ程度に設定されるとよい。
【００３５】
次に、本実施形態に係るコーヒードリッパー１０の使用方法について説明する。
【００３６】
図４（ａ）、（ｂ）は、それぞれ、コーヒードリッパー１０を２つのカップ２０および１つのカップ２０に載せた状態を示す斜視図である。図４（ａ）、（ｂ）に示すように、本実施形態に係るコーヒードリッパー１０は、２つのカップ２０にコーヒーを注ぐ場合の他、１つのカップ２０にコーヒーを注ぐ場合にも用いることができる。
【００３７】
まず、２つのカップ２０にコーヒーを注ぐ場合のコーヒードリッパー１０の使用方法について説明する。
【００３８】
図５（ａ）、（ｂ）は、それぞれ、コーヒードリッパー１０を２つのカップ２０に載せた状態を示す断面図および上面図である。便宜上、図５（ａ）では、カップ２０の断面についてはハッチングが省略され、図５（ｂ）では、カップ２０の容器２１のみが破線で示されている。図５（ａ）は、Ｙ軸方向の中央位置で、コーヒードリッパー１０およびカップ２０を、Ｘ−Ｚ平面に平行な平面で切断した場合の断面図である。
【００３９】
図５（ａ）、（ｂ）に示すように、２つのカップ２０にコーヒーを注ぐ場合は、２つのカップ２０が接近して台等に置かれる。そして、２つのカップ２０に均等に架かるように、台座部１３が２つのカップ２０に載せられる。これにより、２つの流路部１４ａの端部が、それぞれ、２つのカップ２０の内側に入り込む。
【００４０】
なお、台座部１３を２つのカップ２０に載せる際に、台座部１３が何れか一方のカップ２０側にずれていると、一方の流路部１４ａの側面がカップ２０の縁に当たる。しかし、流路部１４ａは、図５（ａ）に示すように傾斜しているため、コーヒードリッパー１０は、台座部１３を２つのカップ２０に載せる過程において、流路部１４ａに案内されて、流路部１４ａがカップ２０の内部に収まるように、Ｘ軸方向に移動する。これにより、台座部１３は、２つのカップ２０に略均等に架かるようになる。
【００４１】
こうして、２つのカップ２０に台座部１３が載せられると、台座部１３は、２つのカップ２０に対して長さＬ１で架かるようになる。この長さＬ１は、台座部１３の短手方向の幅（図２（ｂ）に示す幅Ｗ２）が広くなるほど長くなる。ここで、長さＬ１が長いほど、台座部１３が、より安定的に２つのカップ２０に支持される。この観点からすると、長さＬ１が長いほど、すなわち、台座部１３の短手方向の幅が広いほど好ましいと言える。図２（ｂ）に示した幅Ｗ２は、このような観点から、台座部１３を２つのカップ２０に安定的に支持可能に設定されるとよい。
【００４２】
こうして、コーヒードリッパー１０を２つのカップ２０に載せた状態で、漏斗部１１に装着されたフィルターおよびコーヒー豆の粉に湯を注ぐことにより、各流路部１４ａから対応するカップ２０にコーヒーの抽出液が分配される。ユーザは、極めて簡便な作業により、２つのカップ２０に同時にコーヒーを注ぐことができる。
【００４３】
次に、１つのカップ２０にコーヒーを注ぐ場合のコーヒードリッパー１０の使用方法について説明する。
【００４４】
図６（ａ）、（ｂ）は、それぞれ、コーヒードリッパー１０を１つのカップ２０に載せた状態を示す断面図および上面図である。便宜上、図６（ａ）では、カップ２０の断面についてはハッチングが省略され、図６（ｂ）では、カップ２０の容器２１のみが破線で示されている。図６（ａ）は、Ｙ軸方向の中央位置で、コーヒードリッパー１０およびカップ２０を、Ｘ−Ｚ平面に平行な平面で切断した場合の断面図である。
【００４５】
図６（ａ）、（ｂ）に示すように、１つのカップ２０にコーヒーを注ぐ場合は、２つの流路部１４ａが１つのカップ２０内に収まるように、台座部１３がカップ２０に載せられる。この場合、台座部１３は、カップ２０に対して長さＬ２で架かる。よって、この場合も、コーヒードリッパー１０は、カップ２０に安定的に支持される。なお、この使用方法では、漏斗部１１に装着されたフィルターおよびコーヒー豆の粉に湯が注がれると、漏斗部１１で抽出されたコーヒーは、２つの流路部１４ａからカップ２０に注がれることになる。
【００４６】
＜実施形態の効果＞
本実施形態によれば、以下の効果が奏され得る。
【００４７】
隣接して並べた２つのカップ２０に台座部１３を載せると、２つの流路部１４ａがそれぞれ各カップ２０の内側に位置づけられる。ここで、各流路部１４ａは、台座部１３の下端より下方に突出し、且つ、隣り合うカップ２０の上端を挟むように設けられているため、コーヒードリッパー１０は、各流路部１４ａの端部がそれぞれカップ２０の内側に入り込む位置に正しく位置決めされる。これにより、コーヒードリッパー１０を２つのカップ２０に略均等に載せることができ、安定的にコーヒードリッパー１０を２つのカップ２０にセットできる。そして、この状態で、漏斗部１１に装着されたフィルターおよびコーヒー豆の粉に湯を注ぐことにより、各流路部１４ａから対応するカップ２０にコーヒーの抽出液を分配することができる。なお、本実施形態に係るコーヒードリッパー１０は、並べたカップの高さが多少ずれていても、並べたカップの上端を２つの流路部１４ａで挟みつつ、台座部１３をこれらカップ間に架けて、良好に用いることができる。
【００４８】
このように、本態様に係るコーヒードリッパー１０によれば、極めて簡素な構成により、２つのカップ２０にコーヒーを簡便に分配することができる。本態様に係るコーヒードリッパー１０は、たとえば、毎朝、夫婦でコーヒーを楽しむような場面において、特に、有効に利用することができる。
【００４９】
図５（ａ）に示したように、２つの流路部１４ａは、先端に向かうにつれて互いに離れるように傾斜している。このため、台座部１３を２つのカップ２０に載せる際に、流路部１４ａの側面がカップ２０の縁に当たると、傾斜した流路部１４ａに案内されて、流路部１４ａがカップ２０の内部に収まるように、コーヒードリッパー１０が移動する。よって、ユーザは、台座部１３を２つのカップ２０に載せるだけで簡便に、コーヒードリッパー１０を２つのカップ２０に略均等に載せることができる。
【００５０】
なお、図２（ａ）に示した距離Ｄ１は、上記のように、２ｃｍ以上３ｃｍ以下程度に設定されることが好ましい。これにより、一般的に用いられ得る様々なコーヒー用のカップに対し、図５（ａ）に示すように、２つの流路部１４ａをそれぞれ２つのカップ２０の内部に収めることができ、且つ、図６（ａ）に示すように、１つのカップ２０にコーヒードリッパー１０を載せる場合も、２つの流路部１４ａを１つのカップ２０からはみ出さずに、カップ２０の内部に収めることができる。
【００５１】
また、図２（ａ）に示した突出量Ｄ２は、上記のように、１ｃｍ以下であることが好ましく、より好ましくは、３ｍｍ以上５ｍｍ以下に設定するとよい。これにより、コーヒードリッパー１０の不使用時に、流路部１４ａが下になるようにコーヒードリッパー１０が置かれたとしても、流路部１４ａに破損が生じにくく、また、コーヒードリッパー１０を移動させる際に、流路部１４ａが何かに引っ掛かって破損することを防ぐことができる。
【００５２】
また、図２（ｂ）に示したように、漏斗部１１の底１１ｂは、２つの流路部１４ａが並ぶ方向（Ｘ軸方向）に長い形状となっている。これにより、漏斗部１１の底１１ｂに、各流路部１４ａに適切にコーヒーを分配可能に、孔１１ｃを形成し易くなる。また、一般に、紙フィルターは、底が直線状であるため、このように、漏斗部１１の底１１ｂが一方向に長い形状であると、紙フィルターの底を漏斗部１１の底１１ｂに収め易くなる。
【００５３】
＜変更例＞
上記実施形態では、流路部１４ａの数が２つであったが、流路部１４ａの数は３つ以上であってもよい。
【００５４】
図７（ａ）は、流路部１４ａが３つ設けられたコーヒードリッパー１０の断面図であり、図７（ｂ）は、この変更例に係るコーヒードリッパー１０を３つのカップに載せた状態を示す上面図である。図７（ａ）は、Ｙ軸方向の中央位置で、コーヒードリッパー１０を、Ｘ−Ｚ平面に平行な平面で切断した場合の断面図であり、図７（ｂ）では、カップ２０の容器２１のみが破線で示されている。Ｙ軸負側の流路部１４ａは、本来、図７（ａ）の断面図には表れないが、便宜上、図７（ａ）には、この流路部１４ａが破線で示されている。
【００５５】
図７（ｂ）に示すように、変更例に係るコーヒードリッパー１０は、漏斗部１１の底１１ｂが平面視において円形となっており、この底１１ｂに、周方向に１２０度間隔で、同じ大きさの３つの孔１１ｃが設けられている。また、図７（ａ）に示すように、部材１４には、１２０度間隔で３つの流路部１４ａが設けられ、これら３つの流路部１４ａは、平面視において、部材１４の中心から放射状に延びるように設けられている。部材１４が台座部１３に装着された状態において、これら３つの流路部１４ａの上端は、それぞれ、３つの孔１１ｃに対向する。
【００５６】
なお、図７（ａ）に示す距離Ｄ３は、上記実施形態と同様、２つの流路部１４ａによって隣り合うカップ２０の上端が挟まれ得るように設定され、好ましくは、２ｃｍ以上３ｃｍ以下に設定される。また、突出量Ｄ４も、上記実施形態と同様、１ｃｍ以下に設定され、より好ましくは、３ｍｍ以上５ｍｍ以下に設定される。
【００５７】
図７（ｂ）に示すように、コーヒードリッパー１０を３つのカップ２０に載せた状態において、台座部１３は、Ｙ軸負側のカップ２０に対して、長さＬ３で架かる。台座部１３は、残り２つのカップ２０に対しても、長さＬ３と同程度の長さで架かる。よって、台座部１３は、これら３つのカップ２０によって、安定的に支持される。また、３つの流路部１４ａがそれぞれ３つのカップ２０に嵌まり込むことにより、台座部１３は、３つのカップ２０に略均等に載るように位置決めされる。
【００５８】
この状態で、漏斗部１１に装着されたフィルターおよびコーヒー豆の粉に湯を注ぐことにより、３つの流路部１４ａから３つのカップ２０にコーヒーの抽出液が分配される。本変更例によれば、簡素な構成により、３つのカップ２０にコーヒーを簡便に分配することができる。
【００５９】
なお、本変更例においても、上記実施形態と同様、３つの流路部１４ａが１つのカップ２０内に収まるように、台座部１３を１つのカップ２０に載せることができる。よって、本変更例においても、コーヒードリッパー１０を用いて、１つのカップ２０にコーヒーを注ぐことができる。
【００６０】
ただし、本変更例に係るコーヒードリッパー１０は、流路部１４ａが３つあるため、２つのカップ２０にコーヒーを注ぐ使用形態には用いにくい。毎朝、夫婦でコーヒーを楽しむような使用形態には、上記実施形態に示したコーヒードリッパー１０がより好適であると言える。
【００６１】
＜その他の変更例＞
上記実施形態では、流路部１４ａが傾斜していたが、２つのカップ２０にコーヒーを分配可能であれば、流路部１４ａは必ずしも傾斜していなくてもよい。また、流路部１４ａの傾斜角は、上記図２（ａ）等に図示した角度に限られるものではなく、適宜変更が可能である。この点は、図７（ａ）、（ｂ）に示した変更例についても同様である。
【００６２】
また、上記実施形態では、各流路部１４ａに対応するように孔１１ｃが設けられたが、各流路部１４ａに略均等にコーヒーを分配できれば、孔１１ｃの設け方はこれに限られるものではない。たとえば、図２（ｂ）に示した底１１ｂに沿って１つの長孔が設けられ、この長孔を通過したコーヒーが、図２（ａ）に示した２つの流路部１４ａの分岐部分によって、２つの流路部１４ａに略均等に振り分けられる構成であってもよい。この点は、図７（ａ）、（ｂ）に示した変更例においても同様である。この場合、変更例では、たとえば、底１１ｂより一回り小さい孔が底１１ｂと同心に設けられ、この孔を通過したコーヒーが、３つの流路部１４ａの分岐部分によって、３つの流路部１４ａに略均等に振り分けられるように構成され得る。
【００６３】
また、上記実施形態では、部材１４を台座部１３に嵌めることにより、コーヒードリッパー１０に流路部１４ａが形成されたが、台座部１３に流路部１４ａを一体形成できる構成であれば、漏斗部１１、持ち手１２および台座部１３とともに、流路部１４ａが一体形成されてもよい。この点は、図７（ａ）、（ｂ）に示した変更例についても同様である。さらに、漏斗部１１の大きさや形状、および、台座部１３の大きさや形状等も、上記実施形態および変更例に図示したものに限られるものではなく、適宜変更が可能である。
【００６４】
なお、上記実施形態では、２つのカップ２０の高さが同じであったが、上記実施形態に係るコーヒードリッパー１０は、２つのカップ２０の高さが多少ずれていても対応可能である。すなわち、並べたカップ２０の高さが多少ずれていても、並べたカップ２０の上端を２つの流路部で挟みつつ、台座部１３をこれらカップ２０間に架けて、コーヒードリッパー１０を良好に用いることができる。この点は、図７（ａ）、（ｂ）に示した変更例についても同様である。
【００６５】
この他、本発明の実施形態は、特許請求の範囲に記載された範囲において、種々の変更が可能である。
【符号の説明】
【００６６】
１０  …  コーヒードリッパー
１１  …  漏斗部
１３  …  台座部
１４ａ  …  流路部
１１ｂ  …  底
１１ｃ  …  孔
【図１】
2019093012.tif 000003
【図２】
2019093012.tif 000004
【図３】
2019093012.tif 000005
【図４】
2019093012.tif 000006
【図５】
2019093012.tif 000007
【図６】
2019093012.tif 000008
【図７】
2019093012.tif 000009